(57)【要約】  方法は、検査用デバイス（ＤＵＴ）の放射中心基準（ＣＯＲＲ）を定義することを含み、ＣＯＲＲはＤＵＴで形成可能な電磁波パターンの基準原点を示す。ＣＯＲＲに関する３次元方位情報を決定する。この３次元方位情報は、電磁波パターンの方向を示し、ＣＯＲＲと３次元方位情報を測定システムに提供する。【選択図】図１
2020524784.tif 000002
【特許請求の範囲】
【請求項１】
被試験デバイス（ＤＵＴ）（３０；７０）で形成可能な電磁波パターン（５６）の基準原点（５４）を示す、前記ＤＵＴ（３０；７０）の放射中心基準（ＣＯＲＲ）（５２）を定義するステップ（１１０）と、
前記ＣＯＲＲ（５２）に関して、前記電磁波パターン（５６）の方向（５８）を示す３次元方位情報を決定するステップ（１２０）と、
前記ＣＯＲＲ（５２）および前記３次元方位情報を測定システム（８０；８０´）に提供するステップ（１３０）と、を含む方法（１００）。
【請求項２】
前記ＣＯＲＲを定義するステップ（５２）は、
前記ＤＵＴ（３０；７０）を見たときに視認可能な、または前記ＤＵＴの外側からアクセス可能な基準マーカーのセット（３２）を前記ＤＵＴ（３０；７０）において決定するステップ（２１０）と、
前記基準マーカー（３２）を使用して座標系（３６）を定義するステップ（２２０）と、
前記座標系（３６）内で前記ＣＯＲＲ（５２）を定義するステップ（２３０）と、を含む、請求項１に記載の方法。
【請求項３】
前記基準マーカーのセット（３２）は、人間の能力を超える物理特性を使用するマーカーを含む、請求項２に記載の方法。
【請求項４】
前記基準マーカーのセットは、紫外線マーカー、赤外線マーカー、温度の使用、または内蔵された磁気源の使用を含む、請求項２または請求項３に記載の方法。
【請求項５】
前記基準マーカーのセット（３２）は、前記ＤＵＴ（３０；７０）のディスプレイ上に表示される光信号パターン（６８）、前記ＤＵＴ（３０；７０）のレンズ、前記ＤＵＴ（３０； ７０）の発光デバイス、電気ポート、電磁または磁気パターン、前記ＤＵＴの音響ポート（３０；７０）、前記ＤＵＴ（３０；７０）のハウジングの正面、平面、コーナーおよびエッジの少なくとも１つを含む、請求項２〜請求項４のうちの１項に記載の方法。
【請求項６】
少なくとも第１および第２のＣＯＲＲ（５２）は、前記ＤＵＴ（３０；７０）の内側および／または外側および／または表面の異なる位置で定義され、前記３次元方位情報は前記少なくとも第１および第２のＣＯＲＲについては単一のビームについて決定される、請求項１〜請求項５のうちの１項に記載の方法。
【請求項７】
前記ＣＯＲＲは、前記ＤＵＴ（３０； ７０）のマーカー（３２）または前記基準原点（５４）と相関するように定義される、請求項１〜請求項６のうちの１項に記載の方法。
【請求項８】
前記ＣＯＲＲを定義するステップは、
前記電磁波パターン（５６）を含む、前記ＤＵＴ（３０；７０）によって形成可能な電磁波パターンのセット（５６）を定義するステップと、
前記電磁波パターンのセット内の各電磁波パターン（５６）について、前記ＣＯＲＲ（５２）に対する前記電磁波パターン（５６）の前記基準原点（５４）のオフセットを決定するステップと、を含む、請求項１〜請求項７のうちの１項に記載の方法。
【請求項９】
前記３次元方位情報を決定するステップは、
前記３次元方位情報が前記基準原点（５４）、および前記ＣＯＲＲ（５２）に対する前記電磁波パターン（５６）の方向（５８）を示すことが可能になるように、
前記電磁波パターン（５６）を含む、前記ＤＵＴ（３０；７０）によって形成可能な電磁波パターンのセット（５６）を定義するステップ（４１０）と、
基準方向に対する、前記電磁波パターン（５６）の方向（５８）の方向偏差を決定するステップ（４２０）と、を含む、請求項１〜請求項８のうちの１項に記載の方法。
【請求項１０】
前記電磁波パターン（５６）は、前記ＤＵＴ（３０；７０）の少なくとも第１および第２のアンテナアレイ（４４1、４４2）によって形成可能である、請求項１〜請求項９のうちの１項に記載の方法。
【請求項１１】
第１ビーム（５６1）は前記第１アンテナアレイ（４４1）によって形成可能であり、第２ビーム（５６2）は前記第２アンテナアレイ（４４2）によって形成可能であり、前記第１および第２のビームは少なくとも部分的に、時間および周波数空間において共通パターンを含み、ひいては前記第１ビーム（５６1）の前記基準原点（５４1）および前記第２ビーム（５６2）の前記基準原点（５４2）から離間して配置された基準原点（５４3）を含む第３ビーム（５６3）を形成する、請求項１０に記載の方法。
【請求項１２】
被試験デバイス（ＤＵＴ）（３０；７０）から無線周波電磁波パターン（５６）を検出するステップ（５３０）と、
被試験デバイス（ＤＵＴ）（３０；７０）の放射中心基準（ＣＯＲＲ）（５２）を示す情報を受信するステップ（５４０）であって、前記ＣＯＲＲは、前記（ＤＵＴ）（３０；７０）によって形成された電磁波パターン（５６）の基準原点（５４）を示すとともに前記ＣＯＲＲ（５２）に関する前記３次元方位情報を受信し、また前記３次元方位情報は前記電磁波パターン（５６）の方向（５８）を示す、受信するステップと、
前記ＣＯＲＲ（５２）および前記３次元方位情報との一致に関して、前記検出された無線周波電磁波パターン（５６）を評価するステップ（５５０）と、を含む、
方法（５００）。
【請求項１３】
前記方法は、
前記ＤＵＴ（３０；７０）のマーカーのセット（３２）を使用して前記ＤＵＴ（３０；７０）の位置を決定するステップ（５１０）と、
前記ＤＵＴ（３０；７０）の位置と前記電磁波パターン（５６）の方向（５８）を使用して、前記マーカーのセット（３２）によって定義される３次元座標系における、前記無線周波電磁波パターン（５６）の予想される３次元方向を決定するステップ（５２０）と、をさらに含む、請求項１２に記載の方法。
【請求項１４】
前記ＤＵＴの位置を決定するステップは、
測定環境（３１）の構造（３５）でＤＵＴ（３０；７０）を保持するステップ（５７０）と、
前記ＤＵＴ（３０；７０）における前記マーカーのセット（３２）の位置を検出するステップ（５８０）と、
前記測定環境（３１）内の前記マーカーのセット（３２）の位置を使用して、前記測定環境（３１）内の前記ＤＵＴの位置を決定するステップ（５９０）と、を含む、請求項１３に記載の方法。
【請求項１５】
前記３次元方位情報は３次元放射ビームパターンを示す情報を含む、請求項１２〜請求項１４のうちの１項に記載の方法。
【請求項１６】
前記３次元放射ビームパターンは、前記電磁波パターン（５６）の少なくとも１つのメインローブおよび／または前記電磁波パターン（５６）の少なくとも１つのサイドローブ（７６）を含み、
前記検出された無線周波電磁波パターン（５６）を評価するステップは、前記電磁波パターン（５６）の前記少なくとも１つのメインローブ（７８）および／または前記電磁波パターン（５６）の少なくとも１つのサイドローブ（７６）に関する前記検出された無線周波電磁波パターン（５６）の評価を含む、請求項１５に記載の方法。
【請求項１７】
前記電磁波パターン（５６）の前記基準原点（５４）が前記測定環境の中心を形成するように、前記ＤＵＴ（３０；７０）の位置を調整するステップ（６１０）、または
前記測定環境の既定の中心と前記電磁波パターン（５６）の基準原点（５４）との間のずれ（８２）を決定するステップ（６２０）および前記決定されたずれ（８２）を使用して前記検出された無線周波電磁波のパターン（５６）の評価結果を修正するステップをさらに含む、請求項１２〜請求項１６のうちの１項に記載の方法。
【請求項１８】
前記ＤＵＴから無線周波電磁波パターン（５６）を検出するステップは、前記ＤＵＴ（３０；７０）から受信した前記電磁波パターン（５６）を検出するステップまたは前記ＤＵＴ（３０；７０）によって前記電磁波パターン（５６）を検出するステップを含む、請求項１２〜請求項１７のうちの１項に記載の方法。
【請求項１９】
前記ＣＯＲＲ（５２）は、前記ＤＵＴ（３０；７０）の容積の外側、前記ＤＵＴの筐体の表面、または前記ＤＵＴの筐体の内側に位置するように決定される、請求項１〜請求項１８のうちの１項に記載の方法。
【請求項２０】
前記３次元方位情報は、前記無線周波電磁波パターン（５６）に関連する周波数を示す情報、予定している放射ビームパターンの種類を示す情報、前記電磁波パターンの形成に使用される電力を示す情報、前記電磁波パターンに重畳する電磁波パターンの数を示す情報のうちの少なくとも１つを含む、請求項１〜請求項１９のうちの１項に記載の方法。
【請求項２１】
前記ＣＯＲＲ（５２）は、前記ＤＵＴ（３０；７０）のアンテナアレイ（４４）の中心とは異なる、請求項１〜請求項２０のうちの１項に記載の方法。
【請求項２２】
ディスプレイ（６２）、および
装置にテストモードの実行を要求する要求を示す信号（６６）を受信するように構成されたインターフェース（６４）を備える、装置であって、
前記装置は、前記信号（６６）に応じて前記テストモードに切り替わり、且つ、前記ディスプレイ（６２）によって既定の光信号パターン（６８）を表示するように構成され、前記光信号パターン（６６）は前記装置（７０）において基準マーカーのセット（３２）の少なくとも一部を提供する、装置。
【請求項２３】
前記装置は、前記光信号パターン（６６）の表示の変更を示すユーザー入力とは独立して前記光信号パターン（６６）を表示するように構成される、請求項２２に記載の装置。
【請求項２４】
前記光信号パターン（６６）は少なくとも１次元のバーコードである、請求項２２または２３に記載の装置。
【請求項２５】
前記装置は、続いて複数のテストモードのうちの１つをスイッチオンし作動させ、その後に複数の光信号パターン（６６）のうちの１つを表示するように構成され、前記表示された光信号パターン（６６）は現在のテストモードに関連付けられる、請求項２２〜請求項２４のうちの１項に記載の装置。
【請求項２６】
請求項１２〜請求項２１のいずれか１項に記載の方法を実行するように構成された測定システム（８０；８０´）。
【請求項２７】
前記３次元方位情報は、第１の電磁波パターン（５６1）の第１の基準原点（５４1）および第２の電磁波パターン（５６2）の第２の基準原点（５４2）を示す情報と、前記第１の電磁波パターン（５６1）の第１の方向情報（５８1）および前記第２の電磁波パターン（５６2）の第２の方向情報（５８2）と、を含み、
前記測定システムは、前記第１の電磁波パターン（５６1）との重畳と前記第２の電磁波パターン（５６2）との一致に関して、前記検出された無線周波電磁波パターン（５６3）を評価するように構成される、請求項２６に記載の測定システム。
【請求項２８】
前記測定システムは、前記電磁波パターン（５６）の近接場（ＮＦ）で前記電磁波パターン（５６）を検出し、前記電磁波パターン（５６）の遠方界（ＦＦ）で前記電磁波パターン（５６）の特性を外挿するように適合されている、請求項２６または請求項２７に記載の測定システム。
【請求項２９】
コンピュータ上で実行されると、請求項１〜請求項２１のいずれか１項に記載の方法を実行する命令を格納するコンピュータ可読媒体を含む非一時的なコンピュータプログラム製品。
【発明の詳細な説明】
【技術分野】
【０００１】
本発明は、被試験デバイス（ＤＵＴ）を評価する方法に関する情報を提供する方法、そのような情報を使用してＤＵＴを評価する方法、ＤＵＴおよび測定システムに関する。本発明はさらに、コンピュータプログラムに関する。特に、本発明は、「放射中心基準−ＣＯＲＲ」および座標系を定義する方法、ならびに無線放射および受信構成要素ならびに３Ｄ空間でのその位置決めに関する。ＣＯＲＲＰを使用してＤＵＴを正しい場所に配置することに加えて、ＤＵＴを適切に位置合わせすることもできる。
【背景技術】
【０００２】
多数のアンテナによって形成されるアンテナまたはアンテナアレイの放射中心は、当業者によく知られている用語であり、ＩＥＥＥ Ｓｔｄ １４５−２０１３「アンテナの用語の定義に関するＩＥＥＥ標準」［参考文献１］で定義されている。
【０００３】
Ｏｖｅｒ−ｔｈｅ−Ａｉｒ（ＯＴＡ）測定では、たとえば、ビーム（放射ビームパターン）の特性評価では、プローブが被試験デバイス（ＤＵＴ）の周囲に分布している。放射するＤＵＴの位置に関する知識と、周囲の測定プローブ、およびそれらの間のすべての距離に関する知識を使用して、放射ビームパターンは、たとえば、ＤＵＴの回転と、調整された方法で多くのサンプルポイントを測定することによって測定できる。このようなメカニズムは、アンテナ測定、つまりＯＴＡで測定されるアンテナ放射パターン測定を使用したアンテナパターンの特性評価［参考文献２］で知られている。将来の通信システムでは、既知のアンテナコネクタ（現在の３ＧＰＰ規格、たとえばリリース８−１４では、いわゆる伝導測定がアンテナポート測定用に標準化されている）が過去のものになることが予想される。したがって、無線性能パラメータとアンテナ性能パラメータのＯＴＡ測定は将来のものになると予想される。将来的には、アンテナポートへのアクセスが不可能であるか、アンテナアレイが共同で機能する多くの個別の要素で構成されているため、多くのアンテナ測定はそのような方法、つまりＯＴＡでしか行えない。さらに、このようなアンテナは、たとえばスマートフォンなどのデバイスのハウジング内に埋め込まれている可能性があるため、アンテナはデバイス内にあるが、放射を測定する必要がある。アンテナはデバイスハウジング内に隠されているため、正確な位置は不明である。したがって、これにより、測定された放射パターンがアンテナの正確な位置を参照できない限り、測定が不正確になる［参考文献３、４、５］。さらに、デバイスハウジングと比較して小型のアンテナサイズは、さらに高い不正確さを引き起こす可能性がある。
【０００４】
さらに、無線伝送に使用される搬送周波数は、測定に使用されることが多い遠方界の電波伝搬を想定できる場合のＤＵＴとプローブ間の距離を定義する。測定室／デバイスのサイズを小さくするために、いわゆる近距離場で測定を実行することもできる。このようなサンプルポイントは、遠距離場に変換する必要がある。そのためには、放射ビームの原点が正確にわかっていることが非常に重要である。そうでない場合、測定によりビームの不整合が結論付けられ、多くの予防可能なエラーが発生する［参考文献４］。さらに、近距離場で測定する場合、遠距離場パターンは近距離場から遠距離場への変換によって導出される。放射源と測定プローブからの正確な距離は正確な変換に不可欠である。
【０００５】
これまでのところ、アンテナとアンテナアレイは、測定チャンバーまたはチャンバー内にない測定システムの基準中心点でそれらを移動および／または傾斜および／または回転できるポジショナーに個別に配置されている。これには、電波が実際に送信される正確な知識が必要である。１つまたは複数のアンテナ要素の広い側面またはボア側面を測定するためのＤＵＴの方向付けおよび大まかな位置決めも実行できる。３ＧＰＰ ＴＳ ３７．１４５−２［参考文献６］では、チャンバー内のキャリアにアクティブアンテナシステム（ＡＡＳ）を正しく配置するための座標系の原点と関連する座標系を含む製造業者の宣言（ＭＤ）が定義されている。複数入力および複数出力（ＭＩＭＯ）デバイスの放射性能測定に対応する３ＧＰＰ ＴＲ ３７．９７６［参考文献７］、およびＡＡＳのＯＴＡテストを説明する３ＧＰＰ ＴＲ ３７．８４２［参考文献８］で、テストのさらなる例を示している。
【０００６】
したがって、ＤＵＴを正確にＯＴＡ測定することを可能にする関連ソフトウェアとして、方法、ＤＵＴ、測定システム、およびコンピュータプログラムを提供する必要がある。
【発明の概要】
【発明が解決しようとする課題】
【０００７】
本発明の目的は、ＤＵＴを正確に測定することを可能にする方法、ＤＵＴ、測定システムおよびコンピュータプログラムを提供することである。
【課題を解決するための手段】
【０００８】
本発明者らは、被試験デバイスの放射中心基準（ポイント）を定義することにより、および前記基準点に関する位置および指向性情報を決定することにより、ビームの原点（基準点、基準元、または測定元）およびビームの方向を示す位置情報を発見した。評価範囲は基準点と評価対象のビームを基準とするため、ＤＵＴを高精度で評価でき、これにより、ＤＵＴ内の１つ以上のアンテナの正確な位置に関する情報を取得し、同時に正確な測定値を取得する。
【０００９】
一実施形態によれば、方法は、ＤＵＴの放射中心基準点（ＣＯＲＲＰ）を定義することを含む。この方法は、ＣＯＲＲＰに関する位置情報を決定することをさらに含み、位置情報は、ＤＵＴで形成可能なビームの基準原点を示し、ビームの方向を示す。この方法は、ＣＯＲＲＰおよび位置情報を測定システムに提供することをさらに含む。これにより、アンテナアレイの位置や特定のビームパターンの作成に関係するアンテナの組み合わせに関する正確な知識がなくても、ＤＵＴによるビーム法を参照できる。
【００１０】
一実施形態によれば、ＣＯＲＲＰを定義することは、ＤＵＴで基準マーカーのセットを決定することを含み、基準マーカーのセットは、ＤＵＴを見ると表示される。このような表示マークは、ＤＵＴの外部からアクセスできる他の適切な物理的特徴に置き換えることもできる。さらに、座標系は、座標系内で定義された基準マーカーとＣＯＲＲＰを使用して定義される。これにより、ＤＵＴを見たときに基準マーカーを参照することで、参照原点とビームの方向を参照できるようになる。１つの放射中心基準（ＣＯＲＲＰ）を参照しているが、たとえば、ＤＵＴの内側および／または外側および／または表面の異なる位置で、より多くのＣＯＲＲＰを定義することもできる。これにより、実用的な測定を強化することができる。
【００１１】
一実施形態によれば、基準マーカーのセットは、ＤＵＴのディスプレイ上に表示される光信号パターン、ＤＵＴのレンズ、ＤＵＴの発光デバイス、ＤＵＴの電気ポートまたは音響ポートのうちの少なくとも１つを含む。これにより、装置の試料を変更することなく、ＤＵＴの既存の物理的特徴を使用できるようになり、これにより、販売される製品に適合しなくなる。
【００１２】
一実施形態によれば、位置情報を決定することは、ＤＵＴで形成可能なビームのセットを定義することを含み、ビームを含むビームのセットは、ビームのセット内のビームのそれぞれについて、ＣＯＲＲＰに関するビームの基準原点のオフセット、および基準方向に関するビーム方向からの方向偏差に関するビームの基準原点のオフセットを決定することを含む。これにより、ＣＯＲＲＰに関するＤＵＴのパラメータを示すことができる。
【００１３】
一実施形態によれば、ビームは、ＤＵＴの少なくとも第１および第２のアンテナまたはアンテナアレイで形成可能である。ＣＯＲＲＰを参照する位置情報を使用することにより、一般に遠距離場で単一のビームを形成するが、異なるアンテナアレイで生成されたビームの組み合わせである複数のビームを特徴付けることができ、単一のアンテナアレイに対応する情報と、アンテナアレイに関するそのような単一のビームの測定では、第２のアンテナアレイに関する情報が欠落しているため、不十分な情報が提供される。
【００１４】
一実施形態によれば、方法は、ＤＵＴからの無線周波数ビームを検出すること、ＤＵＴのＣＯＲＲＰを示す情報を受信することを含み、ＣＯＲＲＰに関してＤＵＴで形成されたビームの基準原点を示し、ビームの方向を示す位置情報を受信する。この方法は、ＣＯＲＲＰおよび位置情報との一致に関して検出された無線周波数ビームを評価することをさらに含む。これにより、ＣＯＲＲＰを使用してＤＵＴ、ビームをそれぞれ評価できるため、ＤＵＴの内部に関する詳細な知識を避けることができる。
【００１５】
一実施形態によれば、この方法は、ＤＵＴのマーカーのセットを使用してＤＵＴの位置を決定することと、ＤＵＴの位置を使用して無線周波数ビームの予想位置を決定することと、マーカーのセットによって定義されている３Ｄ座標系のビームの方向と、を含む。これにより、ＤＵＴの位置合わせに、おそらく固定または標準化されたマーカーを使用できる。
【００１６】
一実施形態によれば、ＤＵＴの位置を決定することは、測定環境の構造でＤＵＴを保持することを含み、ＤＵＴのマーカーセットの位置を検出し、測定環境内のマーカーセットの位置を使用して、測定環境内のＤＵＴの位置を決定する。これにより、位置マーカーとＣＯＲＲＰを測定環境内の場所／位置にリンクできる。
【００１７】
一実施形態によれば、位置情報は、ビームの少なくとも１つのメインローブおよび／またはビームの少なくとも１つのサイドローブを示す情報を含む。検出された無線周波数ビームの評価は、ビームの少なくとも１つのメインローブおよび／またはビームの少なくとも１つのサイドローブに対する検出された無線周波数ビームの評価を含む。これにより、ビームの詳細な特性評価が可能になる。
【００１８】
一実施形態によれば、この方法は、ビームの基準原点が測定環境の中心を形成するようにＤＵＴの位置を調整することをさらに含む。または、測定環境の所定の中心とビームの基準原点との間のずれを決定し、決定されたずれを使用して、検出された無線周波数ビームの評価の結果を修正する。これにより、ＤＵＴに対するビームの実際の位置に基づいて、測定値を調整することができ、また測定結果を修正することができる。それにより、ＤＵＴ内のアンテナアレイの位置および指向性の詳細な知識は不要であり得、および／または特定の位置（所望の条件）に対するアンテナアレイの実際の位置の偏差が補償され得る。多くのアプリケーションでは、実際のビームパターンが重要です。ＤＵＴ内のアンテナアレイの位置は、重要ではないか、サプライヤによって秘密にされることを目的としている。本明細書に記載の実施形態を使用することにより、放射されたビームの位置は、アンテナアレイの位置を参照することなく評価され得る。さらに、そのような指定された位置は、ＤＵＴが他の物質との相互作用の対象になっている間に効果的に変化する場合があり、例えば、携帯電話を耳の近くに保持する。明確に指定された条件下で再度行うと、変更された可能性のある基準点に従ってビームパターンを測定できる。
【００１９】
一実施形態によれば、ＤＵＴからの無線周波数ビームを検出することは、ＤＵＴによって送信されたビームを検出することを含むか、またはＤＵＴでビームを検出することを含む。したがって、送信ビームと受信ビームを評価できる。
【００２０】
一実施形態によれば、ＣＯＲＲＰは、ＤＵＴの容積の外側、ＤＵＴの筐体の表面、またはＤＵＴの筐体の内側に、例えば車の中に、位置するように決定される。これにより、定義済みの座標系内の任意のポイントを使用できる場合がある。
【００２１】
一実施形態によれば、位置情報は、無線周波数ビームに関連付けられた周波数を示す情報を含む。これにより、たとえば、ＤＵＴと測定システムのプローブ間の距離を定義するために、実行される測定に周波数範囲を組み込むことができる。
【００２２】
一実施形態によれば、ＣＯＲＲＰは、ＤＵＴのアンテナアレイの中心とは異なる。これにより、アンテナアレイの位置を知らなくてもＣＯＲＲＰを使用できる。この目的のために、ＣＯＲＲＰに関連付けられた位置情報は、例えば、搬送周波数および／または予定している放射ビームパターンの種類を示す追加情報を含むことができる。
【００２３】
一実施形態によれば、装置は、ディスプレイと、装置にテストモードの実行を要求する要求を示す信号を受信するように構成されたインターフェースと、を備える。この装置は、信号に応じてテストモードに切り替わり、ディスプレイによって既定の光信号パターンを表示するように構成されている。光信号パターンは、ＤＵＴの基準マーカーのセットの少なくとも一部を提供する。これにより、ＤＵＴとしてテストするシリーズの任意の装置を使用できるようになる可能性があり、さらに、光信号パターン、例えばＱＲコード（登録商標）を調整することにより、基準マーカーのセットを調整できる場合がある。
【００２４】
一実施形態によれば、装置は、光信号パターンの表示の変更を示すユーザー入力とは無関係に光信号パターンを表示するように構成される。これにより、リファレンスマーカーのセットが変更され、その結果、決定されたＣＯＲＲＰが逸脱する可能性があるユーザーコマンドとは無関係に、光信号パターンを表示できる場合がある。
【００２５】
一実施形態によれば、光信号パターンは、例えばクイックレスポンスコード（ＱＲコード（登録商標））などのマトリックスバーコードを含む１つ以上の寸法のバーコードである。これにより、２次元パターン、したがって、ＤＵＴを見るまたは見るときに監視およびキャプチャできる、ＤＵＴの表面にある２次元の基準マーカーのセットを実装できる。さらに、既知の寸法のマトリックスパターンを使用することにより、画像処理技術を使用して光学読み取り装置に対するその位置を決定できるため、３次元空間でのＤＵＴの位置を決定できる。
【００２６】
一実施形態によれば、装置は、複数のテストモードのうちの１つをスイッチオンし、その後、複数の光信号パターンのうちの１つを現在表示するように構成される。表示された光信号パターンは現在のモードに関連し、これにより、異なるテストモード、したがって正確なテスト条件に異なるＣＯＲＲＰを使用できる場合がある。
【００２７】
一実施形態によれば、測定システムは、本明細書に記載の方法を実行するように構成される。
【００２８】
一実施形態によれば、測定システムによって使用される位置情報は、第１のビームの第１の基準原点および第２のビームの第２の基準原点を示す情報と、第１のビームの第１の方向情報および第２のビームの第２の方向情報を示す情報と、を含む。測定システムは、スーパーポジションと第１のビームおよび第２のビームとの一致に関して、検出された無線周波数ビームを評価するように構成される。これにより、２つ以上のアンテナまたはアンテナアレイの放射または／および受信によって形成されるビームを評価できる。
【００２９】
一実施形態によれば、測定システムは、ビームの近距離場でビームを検出し、ビームの遠距離場でビームの特性を外挿するように適合されている。これにより、測定システムの寸法を小さくすることができる。
【００３０】
さらなる実施形態は、コンピュータで実行されると、本明細書で説明される実施形態による方法を実行する、コンピュータ可読記憶命令媒体を含む非一時的なコンピュータ製品プログラムに関する。
【００３１】
さらなる実施形態は、さらなる従属請求項に記載されている。
【００３２】
ここで、本発明の実施形態を、添付の図面を参照してさらに詳細に説明する。
【図面の簡単な説明】
【００３３】
【図１】図１は、一実施形態による方法の概略フローチャートである。
【図２】図２は、放射線中心基準点（ＣＯＲＲＰ）を定義するために実施され得る、実施形態による方法の概略フローチャートである。
【図３ａ】図３ａは、一実施形態によるＤＵＴの概略斜視図である。
【図３ｂ】図３ｂは、一実施形態によるＤＵＴを評価するために使用され得る測定環境の一部の概略斜視図である。
【図３ｃ】図３ｃは、一実施形態による時間／周波数平面における無線通信ネットワーク内のリソース要素のスケジュールを示す概略図である。
【図３ｄ】図３ｄは、図３のスケジュールおよび実施形態に従って動作するアンテナアレイで形成され得るビームの概略図である。
【図３ｅ】図３ｅは、本実施形態によるユースケースの概略図である。
【図４ａ】図４ａは、位置情報を決定するために実施され得る一実施形態による方法の概略フローチャートである。
【図４ｂ】図４ｂは、放射中心基準を決定するために実施され得る実施形態による方法の概略フローチャートである。
【図５ａ】図５ａは、ＣＯＲＲＰおよび／または位置情報に関連する情報を活用するために使用され得る、一実施形態による方法の概略フローチャートである。
【図５ｂ】図５ｂは、図５ａによる方法のステップの一部として実施され得る一実施形態による方法の概略フローチャートである。
【図６】図６は、図５の方法と一緒に実行され得る実施形態による方法の概略フローチャートである。
【図７】図７は、一実施形態による被試験デバイスとして使用することができるデバイス７０の概略ブロック図である。
【図８ａ】図８ａは、実施形態による測定システムの概略ブロック図である。
【図８ｂ】図８ｂは、複数のプローブを収容する測定チャンバーを備える、一実施形態による測定システムの概略ブロック図である。
【図９ａ】図９ａは、一実施形態による放射線中心基準点に関する知識不足の影響を示す概略図である。
【図９ｂ】図９ｂは、一実施形態によるアンテナアレイの構造を示す概略図である。
【発明を実施するための形態】
【００３４】
同等または同等の要素、または同等または同等の機能を備えた要素は、異なる図に現れる場合であっても、同等または同等の参照番号によって以下の説明で示される。
【００３５】
本明細書で説明する実施形態は、特に、ビームフォーミングに関する技術に関連するビームに関する。デバイス、たとえばＤＵＴに関連付けられたビームは、ＤＵＴで電磁エネルギーが放出される１つ以上の優先方向を定義でき、または、電磁エネルギーとともにＤＵＴで受信することが好ましい。信号を送信する場合、ビームは１つ以上のプレイローブと１つ以上のサイドローブを含むことがあり、ここで、メインローブは、所望の放射パターンおよび／またはその方向を指し示す。サイドローブは、放射がそれぞれのパターンで放出される妨害方向および/または避けられない方向に関連する場合がある。この説明は、マイクロフォンの指向特性に匹敵する、電磁エネルギーの受信中に高いゲインを可能にするメインローブで方向を定義できる受信シナリオを制限することなく参照する。したがって、ビームに言及する場合、これは送信シナリオおよび／または受信シナリオに関連していると理解されるものとする。以下、ビームに言及するが、実施形態は、他の形態の電磁波送信または受信パターン、すなわち、無線周波数での電磁パターンに関するものであり、限定するものではない。そのようなパターンは、線または平面/表面に沿って送信および／または受信パター／を形成するポイントによって記述されたソースによって参照される。そのような電磁波の送信または受信パターンの例は、漏れやすい給電線、つまりケーブルに垂直に放射するスロットを備えたケーブルによって実装されてもよい。このような漏れやすい給電線は、トンネル内の列車を接続するために使用できる。この特定の例では、放射された電磁場の基準は線であり得る。
【００３６】
開示された実施形態によるＤＵＴは、無線通信のために無線周波数で電磁放射を放射および／または受信するように構成された任意のデバイス、例えば、ユーザー機器（ＵＥ）、基地局（ＢＳ）および／またはアクティブアンテナシステム（ＡＡＳ）であり得る。
【００３７】
本明細書で説明される実施形態は、測定システムで使用され得るプローブに関連し得る。そのようなプローブは、例えば、測定システム内でビームフォーミングを実行するときに、電磁エネルギーを生成および／または送信するように構成されたアンテナ素子および／またはアンテナアレイなどの能動素子を備えてもよい。代替的または追加的に、プローブは、例えばＤＵＴで放射される電磁エネルギーを受信するように構成された検知要素、例えばアンテナ（要素）および／またはアンテナアレイを含むことができる。したがって、測定システムで検出または決定されるビームを形成するＤＵＴを参照する場合、これは、１つ以上のプローブによる電磁エネルギーの送信に関連し、電磁エネルギーはＤＵＴで受信され、ＤＵＴは受信の１つ以上の特性を示すフィードバック信号を送信することができる。代替的または追加的に、ＤＵＴは電磁エネルギーを送信するように適合されてもよく、このプローブは、前記エネルギーを受け取り、測定システムへの受信の特性および／または測定システムでそのような特性を決定することを可能にする情報をフィードバックすることができる。
【００３８】
本明細書で説明される実施形態は、電磁放射を受信および／または送信するために使用されるアンテナアレイに関する場合がある。アンテナアレイは、１つ以上の数のアンテナ、例えば、少なくとも１つ、少なくとも２つ、少なくとも５つ、少なくとも１０以上、または５０以上などのより多くの数のアンテナを含むことができる。したがって、アンテナアレイは、複数のアンテナを含む構造に限定されるものではなく、１つのアンテナのみを含むこともある。
【００３９】
図１は、一実施形態による方法１００の概略フローチャートである。方法１００は、被試験デバイスに対して放射中心基準（ＣＯＲＲ）が定義されるステップ１１０を含む。ＣＯＲＲは、ポイント（ＣＯＲＲＰ）、ライン（ＣＯＲＲＬ）、またはエリア（ＣＯＲＲＡ）に関連する場合がある。したがって、ＣＯＲＲＰのＰは、通常のポイントの意味を超えてラインとサーフェスの意味を持つこともできる。ＣＯＲＲは、ＤＵＴで形成可能な電磁波パターンの基準原点、たとえばビームまたは異なるパターンを示す。ＣＯＲＲは、例えば、基準原点と一致してもよく、または少なくとも部分的に同じものを含んでもよい。あるいは、ＣＯＲＲは異なる位置に配置されてもよく、ＣＯＲＲと基準原点との間のオフセットに関する情報を含んでもよい。ステップ１２０において、ＣＯＲＲに関して３次元方位情報が決定され、３次元方位情報は、電磁波パターンの方向を示す。３次元方位情報は、位置情報と呼ばれる場合がある。ＣＯＲＲと３次元方位情報の組み合わせにより、宇宙での電磁波パターンの起源と伝播を指定できる。ステップ１３０は、ＣＯＲＲおよび３次元配向情報（位置情報）を測定システムに提供することを含む。
【００４０】
以下において、実施形態は、放射中心基準点（ＣＯＲＲＰ）を参照して説明される。
説明されている例は、ＣＯＲＲ全般および／またはＣＯＲＲＬおよび／またはＣＯＲＲＡを特に限定することなく参照できる。すなわち、ＣＯＲＲＰは点として命名され、したがって空間内の最小拡張を伴うが、ＣＯＲＲＰは、放射が延びる方向または線に交互に関連する場合がある。例えば、ＣＯＲＲＰは、放射線のメインローブの中心に沿って、またはそれに平行に配置されてもよい。言い換えれば、放射の中心は漏洩フィーダーケーブルのような線でもあり得る。さらに、ＤＵＴを調査／測定するときに測定される放射および／または受信アンテナパターンを記述するために、放射の中心から始まる、または放射の中心で終わる方向を実施形態によって説明／定義する必要がある。ＣＯＲＲは、たとえば、多数のアンテナがいくつかの波長の距離に分布し、その結果生じる遠距離アンテナパターンが個々のアンテナからの放射電磁波の重ね合わせである場合、ポイント、ライン、またはプレーンへの仮想投影である場合がある。
【００４１】
１つのＣＯＲＲ／ＣＯＲＲＰの代わりに、複数の２つ以上のＣＯＲＲを定義できる。異なるＣＯＲＲは、たとえば、ＤＵＴの内側および／または外側および／または表面の異なる位置で定義できる。単一の電磁波パターン／ビームの位置情報は、複数のＣＯＲＲの１つ、いくつか、またはそれぞれについて生成できる。つまり、ＤＵＴで形成された特定の電磁波パターンは、それぞれ特定のＣＯＲＲに関連する１つ以上の位置情報によって記述できる。これにより、実用的な測定を強化することができる。例えば、自動車をＤＵＴとして検討する場合、このようなさまざまなＣＯＲＲＰは、たとえば自動車の内側または外側の放射パターンを測定する場合、実用的な観点で役立つかも知れない。
【００４２】
図２は、例えば、ステップ１１０を実行するときに実施される２００の方法の概略フローチャートである。ステップ２１０は、ＤＵＴを見たときに見える基準マーカーのセットであるＤＵＴにおける基準マーカーのセットを決定することを含む。これには、人間の目を使用する場合の基準マーカーのセットの可視性が含まれるが、これに限定されない。ＤＵＴを見るときに見える基準マーカーのセットは、代替的または追加的に、人間の目に見えないマーカーを識別する技術的手段の使用を含んでもよい。そのようなマーカーの例は、小さなマーカーまたは人間の能力を超える物理的特性を使用するマーカー、例えば、紫外線マーカーまたは赤外線マーカー、ならびに温度の使用、埋め込まれた磁気源の使用などである。したがって、マーカーは少なくともアクセス可能であってもよい。ステップ２２０は、基準マーカーを使用して協調システムを定義することを含む。座標系は、３次元空間をナビゲートできるようにする第１座標系またはグローバル座標系と呼ばれる場合がある。例えば、必ずというわけではないが、定義された座標系は３つの垂直軸を含むことができ、すなわち、デカルト座標系として形成することができる。代替的または追加的に、他の座標系、例えば、球座標系または円筒座標系または線形座標系または平面座標系を使用してもよい。ステップ２３０は、座標系内でＣＯＲＲＰを定義することを含む。ＣＯＲＲＰは、座標系内の任意の点として選択または定義できる。たとえば、ＣＯＲＲＰは、特定のプローブやオブジェクトなど、測定環境内の特定のポイントである。ＣＯＲＲＰの座標は、ＣＯＲＲＰとＤＵＴの相対位置を示す場合があり、したがって、測定チャンバーなどの測定環境内のＤＵＴの正確な位置決めに関係する場合がある。あるいは、ＣＯＲＲＰは、他のポイント、たとえば、測定環境内のオブジェクトから切り離されたポイントである場合がある。
【００４３】
ＤＵＴに接続されている基準マーカーに関連する座標系の定義に基づいて、ＣＯＲＲＰもＤＵＴに接続され、おそらく測定環境に接続される。これにより、ＤＵＴの位置を測定環境内の位置にリンクできる。好ましくは、基準マーカーは、本試験シナリオでは不動であり、すなわち、ＣＯＲＲＰもＤＵＴに対して不動である。例えば、基準マーカーのセットは、少なくとも部分的に、物理的特徴などの不動のマーカー、例えば、ＤＵＴのレンズ、ＤＵＴ発光デバイス、例えば、懐中電灯、ＤＵＴの電気ポートおよび／または電子ポート、および／または電磁気または磁気パターン等であり得る。実施形態によれば、基準マーカーのセットは、ＤＵＴのディスプレイに表示され得る信号パターンによって少なくとも部分的に実装することができ、したがって、それは光信号パターンと呼ばれ得る。これにより、リファレンスマーカーのセットに基づいてＣＯＲＲＰを取得、決定、および再現できる。それにより、ＤＵＴで形成可能なビームを特徴付ける位置情報も、基準マーカーのセットを使用して評価され、ＤＵＴの内部の正確な知識なしで提供され得る。
【００４４】
図３は、方法１００および２００を説明するための、一実施形態によるＤＵＴ３０の概略斜視図を示す。
【００４５】
基準マーカー３２1、３２2、および３２3のセットは、ＤＵＴ３０のハウジング３４に配置されてもよい。基準マーカー３２1〜３２3のセットは、ＤＵＴハウジング３４の同じ側に配置されてもよいが、互いに対して異なる側に配置されてもよい。３つのマーカー３２1〜３２3は、３次元座標系３６を定義するのに十分であるかもしれないが、より多数の基準マーカーも使用され得る。２つの選択された基準マーカー間の幾何学的関係が既知である場合、２のように小さい数値を使用することもでき、したがって、既知の幾何学的関係は、欠落している情報を提供する可能性がある。
【００４６】
３次元座標系３６の原点３８は、任意の位置を含むことができ、非限定的な例によって、３２2などの基準マーカー３２1、３２2、または３２3のうちの１つの位置に配置することができる。あるいは、３Ｄ座標系３６内の任意の他の位置を参照位置として使用することができ、そこに他の任意の位置を参照することができる。
【００４７】
言い換えれば、Ａ、Ｂ、Ｃでマークされた基準マーカーまたは基準点３２1〜３２3は、ＤＵＴ３０の外側に配置され、座標系３６に広がり、および／または座標系３６の原点３８を定義してもよい。
【００４８】
３ＧＰＰによれば、相対座標系４２1および４２2は、ＤＵＴ３０のアンテナアレイ４２1および４２2に関連して定義される必要がある。例えば、１、３、４またはそれ以上の異なる数のアンテナアレイ４４が存在してもよい。アンテナアレイ４４1に関連する相対座標系４２1およびアンテナアレイ４４2に関連する相対座標系４２2を定義するために、相対ポインター４６1および４６2を使用して、それぞれ、アンテナアレイ４４1、４４2の基準位置４８1、４８2をそれぞれ指すことができる。これには、アンテナアレイ４４1および４４2の位置に関する正確な知識が必要である。これは、ビームが正確に生成される方法についてのヒントを与えるかもしれないアンテナアレイの正確な位置を開示しないという製造者の関心と矛盾する。
【００４９】
本開示によれば、ＣＯＲＲＰ５２は、３次元座標系３６の任意の位置に定義される。それにより、ＤＵＴのマーカー３２1〜３２3の１つまたは複数、ならびに放射ビームの基準原点に相関するように、ＣＯＲＲを定義することができる。ＣＯＲＲは、マーカー３２1〜３２3のうちの少なくとも１つの位置に配置されてもよい。このステップでは、測定条件または環境に関する知識、つまり、後のテストでＤＵＴを配置する方法を使用できる。すなわち、ＣＯＲＲＰ５２は、別の場所、例えば、ＤＵＴ３０の容積の外側、すなわちハウジング３４の外側に配置されてもよい。あるいは、ＣＯＲＲＰは、ＤＵＴの筐体の表面またはＤＵＴの筐体の内側、たとえば車の中で定義できる。ＣＯＲＲＰ５２は、その環境内の特定のポイントに設定できる。代替的または追加的に、ＣＯＲＲＰ５２は、基準マーカー３２1、３２2、または３２3のセットの１つと一致してもよく、３８の原点の中心と一致してもよい。後のテストでＤＵＴの位置がわかっている場合、これは基準マーカーのセットに当てはまる。本実施形態によれば、ビーム５６1および／または５６2の基準原点５４1および／または５４2は、位置情報の一部として定義されてもよい。基準原点は、ビームの物理的または理論的な原点として理解できる。そのような原点は、特に基準位置４８がアンテナアレイの中心を示す場合、基準位置４８と異なっていてもよい。特定のビーム５６を生成するために、アンテナアレイ４４のアンテナ要素のサブセットを使用して、ビームがアンテナアレイ上のどこにでも基準原点を有するようにすることができる。特に、異なるビームは、アンテナアレイ上の異なる基準原点を含む場合がある。位置情報には、３Ｄ空間でのアンテナアレイの表面の位置、放射の方向（ビーム）、および／または放射のベクトルと組み合わせた基準点（基準原点）などの追加情報が含まれる。位置情報は、電磁波パターンを形成するために使用される電力、例えば、ビームの使用電力および／または電力クラスを示す情報などの情報をさらに含むことができる。例えば、テーパーを付けることによって、および／またはビームが高出力、中出力、または低出力で放射される場合、アンテナアレイを使用してサイドローブ抑制を実行できる。代替的または追加的に、ＣＯＲＲＰに関連付けられた位置情報は、例えば、搬送周波数および／または放射されるべき３Ｄパターンを示す情報の意図されたビームパターンに関する情報を含むことができる。さらに、位置情報は、放射ビームが１つまたはいくつかの個々のビームによって合成／重畳されているかどうかを示す情報を含んでもよい。これにより、ＣＯＲＲＰを互いに、つまりスーパーインポーズのコンポーネントごとに異なるものにすることができる。いくつかのシナリオでは、例えば、ニアフィールドでの測定中に、ジョイント情報は疑わしい場合があり、および／または意味がなく、単一のコンポーネントに関する情報は事前のものである場合がある。このようなケースは興味深いかもしれないが、例えば 共通信号は２つ以上のビームの重ね合わせで送信され、情報の他の部分は１つまたは全てではない重ね合わせビームを使用して送信される。これは情報チャネル制御に関連する場合があるが、ユーザーデータは独立したビームに多重化される場合がある（時間周波数リソースは、ビームによって提供される空間リソースに異なる方法でマッピングされる場合がある）。
【００５０】
たとえば、２つ以上のアンテナアレイの使用を検討する場合、たとえば、アンテナアレイ４４1と４４2の両方で結合ビーム５６3を生成する。ビーム５６3の基準原点５４3は、アンテナアレイ４４1および４４2の一方または両方の外側にあることさえあり得る。非限定的な例により、ビーム５６1および５６2は両方とも一緒にビーム５６3を形成してもよい。ビーム５６1および５６2は、近距離場では区別可能または識別可能であってもよいが、遠距離場では共通ビーム５６3を形成してもよい。したがって、遠距離場では、ビーム５６3は、ビーム５６3に関連付けられた単一の基準原点５４3を有し得る。
【００５１】
ハウジング３４とその中のアンテナアレイ４４1および４４2の未知の位置によって囲まれたＤＵＴを考慮すると、アンテナアレイ４４1および／または４４2のうちの１つ以上によって生成されたビームを評価することは困難である。３ＧＰＰに準拠した情報では、アンテナアレイの位置に依存する。これとは対照的に、基準原点を定義し、ビーム５６1〜５６3に関連付けられた方向５８1、５８2、および／または５８3をさらに定義する場合、アンテナアレイの放射は、すなわち、ビームは、アンテナ要素の位置に関する知識がなくても測定され得る。いくつかの実施形態、例えばビーム５６3によれば、アンテナ４４1および４４2の位置は、共通ビーム５６3を形成するときに重要ではない場合さえあり得る。方向５８1、５８2および／または５８3は、３Ｄ座標系３６内の方向として定義されてもよく、したがって、マーカー３２1〜３２3のセットに関する方向に関連してもよい。
【００５２】
ＣＯＲＲ ５２は、３Ｄ空間に配置することができる。３次元方位情報は、同じ空間内のベクトルであり得、ＣＯＲＲは、基準位置または中心として使用され得る。したがって、ＣＯＲＲは、アクセス可能なマーカー３２に関する基準を含むことができ、あらゆる位置および／または方向、すなわち、その波形パターンの起源および方向は、ＣＯＲＲおよびマーカーに関して記述され得る。
【００５３】
図３ｂは、ＤＵＴ３０を評価するために使用され得る測定環境３１の一部の概略斜視図である。例えば、測定環境３１は、３次元空間、好ましくは座標系３６におけるＤＵＴの位置および／または向き、好ましくは両方を決定することを可能にするマーカー３２1〜３２3のセットに関する情報を受信または取得することができる。測定環境３１は、ＤＵＴ３０で設定されたマーカー３２1〜３２3の少なくともいくつかを検出するように構成されたデバイス３３を備えてもよい。デバイス３３は、例えば、カメラ、スキャナー、リーダーなどであってもよい。
【００５４】
測定環境３１は、ＤＵＴ３０の位置を定義および／または適合させるように構成された構造３５を含むことができる。構造３５は、図３ｂに示されていないプローブを使用してＯＴＡ測定のためにＤＵＴ３０を保持するためにキャリア、固定具、ジグ、ホルダー、マウント、容器、ポジショナーなどを含んでもよいし、含まなくてもよい。試験中、構造体３５は、図示されていないプローブに対してＤＵＴ３０を移動するように、例えば、ＤＵＴ３０を回転および／または傾斜および／または並進させるように構成され得る。示されていない代わりに、またはそれに加えて、プローブをＤＵＴ３０に対して移動させることができる。実施形態によれば、ＤＵＴ３０は、手動配置、ロボットまたはマニピュレーター配置、コンベヤーベルト、自動および／または半自動ハンドリングシステムなどによって配置および／または移動することができる。
【００５５】
測定環境３１、例えばその制御ユニットは、測定環境３１内のマーカー３２1〜３２3のセットの位置に関する情報をＣＯＲＲＰ５２の位置を示す位置情報とリンクすることができる。これにより、測定環境３１内の位置と座標の間のリンクと、マーカー３２〜３２3のセットによって定義されている３Ｄ座標系が取得され得る。したがって、マーカー３２1から３２3の既知の位置、すなわち、平面（ｓ）および／またはエッジ（ｓ）および／またはコーナー（ｓ）および／またはＤＵＴ３０の他の何らかの特徴（ｓ）を組み合わせることにより、ＣＯＲＲＰ５２と共に、構造３５内のＤＵＴの適切な配置が確保され得る。制御ユニットは、環境内の構造物３５の位置に関する情報、および測定環境内のマーカー３２1〜３２3の情報、例えば、構造体３５に対して既知の相対位置を有するデバイス３３に対するマーカー３２1〜３２3の情報を使用してもよい。制御ユニットは、例えば、マーカー３２1〜３２3に対するエッジ、表面または平面の位置、およびＤＵＴの形状について、ＤＵＴのさらなるパラメータ関する知識をさらに有してもよい。
【００５６】
実施形態による方法は、ＤＵＴ３０のマーカー３２1〜３２3のセットを使用してＤＵＴ３０の位置を決定することと、ＤＵＴ３０の位置を使用して無線周波数ビームの予想位置を決定することと、３Ｄ座標システムのビーム５６の方向は、マーカーのセット３２1〜３２3によって定義される。この予想される位置は、ＤＵＴ３０を評価するために測定データが比較される値または値のセットとして使用できる。この方法は、ＤＵＴの位置を決定することは、ＤＵＴ３０を構造３５で保持し、ＤＵＴ３０でのマーカー３２1〜３２3のセットの位置を検出することを含むように実施されてもよい。そして、測定環境３１内のマーカー３２1〜３２3のセットの位置を使用して、測定環境３１内のＤＵＴの位置を決定する。
【００５７】
実施形態によれば、ＣＯＲＲＰの知識は、ＤＵＴ３０の幾何学的特徴、すなわちマーカー３２1〜３２3の知識と組み合わされる。これら２つの情報の組み合わせにより、基準点ＣＯＲＲＰ５２およびビームの基準方向が決定され得る。方向を決定するには、少なくとも３つのポイント、または平面および／またはエッジおよび／またはコーナーおよび／または固定特性と組み合わせた単一のポイントを使用できる。したがって、ＤＵＴ３０の位置は、マーカー３２1から３２3のセットを使用して決定され得る。ＤＵＴがビームを形成すると予想される場所の予想位置または公称値は、ＤＵＴ３０の位置および受信した方向情報を使用して決定することができる。これは、３Ｄ座標系３６と同一であるか、少なくとも３Ｄ座標系３６から転送可能なマーカー３２のセットによって定義される３Ｄ座標系を使用して行うことができる。
【００５８】
図３ｃは、時間／周波数平面における無線通信ネットワーク内のリソース要素３７のスケジュールを示す概略図である。
【００５９】
図３ｄは、図３ｃのスケジュールに従って動作するアンテナアレイ４４1および４４2で形成され得るビーム５６1および５６2の概略図を示す。左上から右下に影が付けられたリソース要素３７1を使用して、アンテナアレイ４４1でビーム５６1を形成することができる。ここで、右上から左下に影が付けられたリソース要素３７2を使用して、アンテナアレイ４４2でビーム５６2を形成することができる。クロスに陰影されている共通のリソース要素３７3は、例えば、共通の制御メッセージを送信するために、両方のアンテナアレイ４４1および４４2によって使用される。リソース要素３７3に関して、ビーム５６1および５６2は、時間／周波数空間において同じパターンを有し得る。例えば、図３ｄでは、ビーム５６1と５６2を重ね合わせることにより、共通のリソース５６3の使用に基づいて共通のビーム５６3を形成することができる。このビーム５６3は、ＣＯＲＲに関して参照または決定され得る仮想参照原点５４3を有し得る。仮想基準原点は、例えば、ビーム５６1および５６2の（実際の）基準原点５４1および５４2の間に配置されてもよい。仮想基準原点５４3は、ビーム５６1および５６2を考慮して対称面に配置されてもよい。
【００６０】
したがって、ＤＵＴは複数のビームを形成する場合がある。第１のビーム５６1は第１のアンテナアレイ４４1と形成可能であり、第２のビーム５６２は第２のアンテナアレイ４４2と形成可能である。ここで、第１および第２のビームは、時間および周波数空間で少なくとも部分的に共通パターンを含み、それにより、第１のビーム５６1の基準原点５４1および２番目のビーム５６2の基準原点５４２から間隔を空けて配置された基準原点５４3を含む第３のビーム５６3を形成する。少なくとも１つのビーム５６1および／または５６2の変化するパワー、ビーム間のパワーの変化する関係に基づいて、ビーム５６3の向きを変えることができる。
【００６１】
実施形態は、１つ以上のアンテナアレイを含むことができる、および／またはアンテナアレイの少なくとも１つがそれ自体いくつかのサブアレイを含むＤＵＴに関し、その数は１より大きい任意の数である。
【００６２】
例えば、アンテナアレイまたはサブアレイはタイル構造に配置されてもよい。そのような構造は、アンテナパネルの配列と呼ばれる場合があり、各アンテナパネルは、アンテナアレイまたはサブアレイの機能ユニットであり得る。これらのパネルのそれぞれは、送信および／または受信の目的で１つまたは複数のビームを形成するように設計することができる。さらに、単一のパネルおよび／または異なるパネルの少なくとも２つのビームを使用して、結合ビームを形成することができる。
【００６３】
これらの実施形態は、パネルおよびサブパネルの任意の配置に適用することができ、その例は、規則的および不規則なタイルスキームの両方を含むことができる。ＤＵＴを考慮して、ＤＵＴの無線インターフェースは、複数のアンテナサブアレイを備えてもよく、各サブアレイは、ビームパターン、合成ビームなどの少なくとも一部を形成するように構成される。
【００６４】
一実施形態によれば、各サブアレイについて、ＣＯＲＲを定義することができる。代替的または追加的に、単一のサブアレイまたはサブアレイの組み合わせによって形成される少なくとも１つの結合ビームに対してＣＯＲＲを定義することができる。単一のサブアレイまたは各サブアレイに対してＣＯＲＲを定義すると、サブアレイで形成されたビームの簡単な評価が可能になる場合がある。少なくとも第１および第２のサブアレイに基づくＣＯＲＲを定義することにより、ＤＵＴの結合ビームの簡単な評価が可能になる。１つの解決策は、他の解決策と組み合わせることができるが、これに限定されないことに注意されたい。すなわち、ＣＯＲＲは、サブアレイとその組み合わせに対して同時に定義することができる。
【００６５】
図３ｅは、本実施形態によるユースケースの概略図である。ビーム５６の例示的な断面は、ビーム５６の対称性を示す対称点、軸または平面５９の周りに配置された異なる適合／測定点５７1から５７4を使用して評価され得る。角度φとθは、ビームとそれぞれのアンテナアレイに関する仰角と方位角を示す。対称点、軸、または平面５９は、誤差ベクトルの大きさ（ＥＶＭ）に関連する測定の中心、すなわちＥＶＭ方向範囲の中心を形成してもよい。平面６１は、ＯＴＡ ＥＶＭ方向範囲、すなわち、評価されなければならない断面の面積に関する宣言に従って形成され得る。この領域は、原点からの距離に依存し、焦点が合っていないビームでは増加するか、焦点が合ったビームでは減少する。したがって、ポイント、軸、または平面５９を知ることで、ポイント５７の位置決めとビーム５６の評価が可能になる。実施形態によれば、点、軸または平面５９はＣＯＲＲとして定義されてもよく、点５７は測定点として使用されてもよい。
【００６６】
図４ａは、例えば、ステップ１２０中に位置情報を決定するために実施され得る方法４００の概略フローチャートである。ステップ４１０では、ＤＵＴで形成可能なビームのセットが定義される。例えば、ビームのセットは、ビーム５６1、５６2および／または５６3を含むことができる。
【００６７】
ステップ４２０は、ビームのセット内の各ビームについて、ＣＯＲＲＰに関するビームの基準原点のオフセット、および基準方向に関するビーム方向の方向偏差を決定することを含む。位置情報により、ＣＯＲＲＰに対する基準原点とビーム方向を示すことができる。その結果、基準原点、例えば基準原点５４1、５４2および／または５４3のオフセットは、３Ｄ座標系３６内のそれぞれの基準原点の位置であってもよい。したがって、オフセットは、原点３８および／または測定環境内の位置に対するそれぞれの基準原点のオフセットに関連し得る。基準方向の偏差は、座標系３６内の方向に関係していてもよい。基準方向は、例えば、軸の１つ以上に沿った方向および／または座標系内の方向であってもよい。座標系３６内の任意の方向を基準方向として使用して、方向５８1、５８2、および５８3が、３Ｄ座標系３６内のそれぞれのビーム５４1、５４2、および／または５４3の方向を示すようにすることができる。
【００６８】
言い換えれば、ＣＯＲＲＰは４つのポイント（３つの基準マーカーと座標系の原点）と、垂直軸であり、少なくとも３Ｄ空間にまたがる３つの軸によって記述される。
【００６９】
ＣＯＲＲＰおよび／または位置情報は、３次元空間に設定された基準点／ベクトルセットとして提供され、空間内の相対的および軸方向の位置と説明、特に、
ｉ）波（ビーム）が放射されるポイントおよび／またはエリア、
ｉｉ）分散アンテナが配置されているポイントおよび／またはエリア、
ｉｉｉ）電波を放射する重畳／有効アンテナ／アンテナアレイのポイントおよび／またはエリア、から放射され、および／または
ｉｖ）偏光効果を示す。
ポイントｉｉ）は可能ですが、必ずしもアンテナの位置を定義することを含まない。メーカーは、デバイス内のアンテナの位置を明らかにするよりも、発明された基準点ＣＯＲＲＰを使用することを好む場合がある。したがって、アンテナ／アンテナアレイの正確な位置は、ＣＯＲＲＰの説明で明らかにする必要はないが、ビームパターンが発生していると思われる、より一般的な位置を可能にする。もちろん、それ自体がアンテナの場所になる可能性がある。さらに、デバイスが複数のアンテナまたは複数のアンテナアレイを備えている場合、その場所の指定は面倒であり、誤解を招く可能性があり、結果として精度に影響する可能性がある。したがって、各デバイスの単一のＣＯＲＲＰは、含まれるアンテナの数に関係なく、デバイスの詳細を非公開に保つ、測定の精度を向上させる、および／または測定環境を効果的に定義するという点で利点を提供する。
【００７０】
ＣＯＲＲＰに対して、アンテナアレイ、ビームをそれぞれＣＯＲＲＰと関連付けるために、ポインティングベクトルを定義できる。
これには、
ａ）放射された放射線の原点、および／または
ｂ）ｉ）アレイ表面の３Ｄ空間の位置、ｉｉ）方向５８などの放出の方向、および／またはｉｉｉ）放出のための基準点およびベクトル、
を記述する相対座標系が含まれる場合がある。基準点または基準マーカーは、デバイスの外側から、またはデバイスの特定のマーカーまたはデバイス固有の境界、たとえば、顔、平面、コーナー、エッジなどからアクセス可能である。したがって、基準マーカーのセットは、ＤＵＴハウジングのコーナーまたはエッジを含むこともある。
【００７１】
図４ｂに示すように、３次元方位情報を定義するのと同様に、ＣＯＲＲを定義することはステップ４１０を含むことができ、すなわち、ＤＵＴで形成可能な電磁波パターンのセット、電磁波パターンを含む電磁波パターンのセットを定義する。さらに、電磁波パターンのセット内の電磁波パターンのそれぞれについて、ステップ４６０で、ＣＯＲＲに対する電磁波パターンの基準原点のオフセットを決定することができる。
【００７２】
図５ａは、ＣＯＲＲＰおよび／または位置情報に関連する情報を活用するために使用できる方法５００の概略フローチャートである。オプションのステップ５１０は、例えば図３ｂに関連して説明したように、ＤＵＴのマーカーのセット、例えばマーカー３２1〜３２3を使用してＤＵＴの位置を決定することを含む。オプションのステップ５２０は、マーカーのセットによって定義されている３Ｄ調整システムにおけるＤＵＴの位置およびビームの方向を使用して、無線周波数ビームの予想位置を決定することを含む。ステップ５３０は、ＤＵＴからの無線周波数ビームを検出することを含む。無線周波数ビームは、例えば、受信ビームおよび／または送信ビームであり得る。ステップ５４０は、ＤＵＴの放射中心基準（ＣＯＲＲ）を示す情報を受信することを含み、ＣＯＲＲは、ＤＵＴで形成された電磁波パターンの基準原点を示す。ステップ５４０は、ＣＯＲＲに関する３次元方位情報を受信することを含み、３次元方位情報は、電磁波パターンの方向を示す。ステップ５５０は、ＣＯＲＲＰおよび位置情報との一致に関して検出された無線周波数ビームを評価することを含む。ステップ５３０および５４０を実行する順序は任意であり得る。すなわち、ステップ５３０は、ステップ５４０の前、後、またはさらには同時に実行されてもよい。ステップ５５０は、例えば、位置情報によって特徴付けられるビームがＤＵＴから検出された無線周波数ビームと一致する場合、特定の評価ステップを含むことができる。そのような一致は、基準原点の一致、および／またはメインローブおよび／またはサイドローブの物理的延長の一致を含み得るが、これに限定されない。電磁波パターンは、放射の３Ｄパターンであってもよく、任意に形成されてもよい。そのような３Ｄパターンは、例えば、電磁波パターンがビームを含む場合、メインローブおよび／またはサイドローブに関する情報を含み得る。３Ｄパターンは、例えば、仰角および／または方位角方向に大きな開口角を有する場合、メインローブまたはサイドローブによって適切に説明されない場合がある。３Ｄパターンは、所与のＣＯＲＲＰおよび方向に対して相対的に説明できる、形成または成形された放射ビームパターン／フィールドであり得る。
【００７３】
位置情報は、ビームの少なくとも１つのメインローブおよび／またはビームの少なくとも１つのサイドローブを示す情報を含んでもよい。そのような情報は、すなわち、ＣＯＲＲＰおよび／または基準原点に関して、および／または各方向に沿ってそれぞれのメインローブまたはサイドローブがビーム内で延びる角度形成を含むことができる。例えば、ステップ５５０を実行するときに、検出された無線周波数ビームを評価することは、ビームの少なくとも１つのメインローブおよび／またはビームの少なくとも１つのサイドローブに関する検出された無線周波数ビームの評価を含み得る。ステップ５１０および／または５２０の順序は、実行されるとき、ステップ５３０および／または５４０の実行から独立していてもよい。すなわち、ステップ５５０を実行する前に実行される限り、ステップ５１０、５２０、５３０および５４０を実施することで十分であり得る。前に説明したように、電磁波パターンはビームに限定されない。たとえば、ＣＯＲＲＰと放射ビームパターンの記述のための参照方向が提供される場合、パターンの正確な形状は任意であり、１つまたは複数のメインローブまたはサイドローブの定義を必要としない。３次元の特定の方向に向かうそのような特定の特徴の説明は、いくつかの実施形態では実装され得るが、３Ｄ電磁波パターンのより一般的な特徴に関連し得る。
【００７４】
図５ｂは、例えばステップ５１０の一部として実行される場合に実施され得る方法５６０の概略フローチャートを示す。ステップ５７０は、測定環境３１の構造３５などの測定環境の構造でＤＵＴを保持することを含む。ステップ５８０は、ＤＵＴでのマーカー３２1〜３２3などのマーカーのセットの位置を検出することを含む。ステップ５９０は、測定環境内のマーカーのセットの位置を使用して、測定環境内のＤＵＴの位置を決定することを含む。
【００７５】
図６は、例えばステップ５５０の結果に応じて、方法５００と一緒に実行される方法６００の概略フローチャートである。ステップ６１０において、ビームの基準原点が無線周波数ビームの検出および／または評価に使用される測定環境の中心を形成するように、ＤＵＴの位置が調整される。代替的または追加的に、ステップ６２０を実行して、測定環境の所定の中心と無線周波数ビームの基準原点との間のずれを決定することができる。検出された無線周波数ビームの評価の結果は、決定されたずれを使用して修正され得る。すなわち、ステップ５５０の結果は修正され得る。たとえば、検出された無線周波数ビームの基準原点が位置情報に示されているように異なる位置にあることを測定が示す場合、ＤＵＴはプローブに対してシフトされる場合がある。すなわち、プローブおよび／またはＤＵＴは、無線周波数ビームの正確な分類を可能にするように移動され得る。代替的または追加的に、検出されたミスアライメントが結果で考慮される場合があります。
それぞれステップ６１０、６２０を使用して、同じ周波数または異なる周波数の２つの異なるビームのＣＯＲＲＰに関するずれと知識がある場合、結果の偏差を使用してずれを事後補償（６１０）することができる、または、測定を繰り返す前に反復的に事前補償（６２０）することができる。
【００７６】
上述のように、無線周波数ビームの検出は、ＤＵＴを使用して無線周波数ビームを受信するときに、ＤＵＴからのビームの検出（受信）および／またはＤＵＴでのビームの検出に関連する場合がある。
【００７７】
図７は、一実施形態に係る被試験デバイスとして使用することができるデバイスまたは装置７０の概略ブロック図である。装置７０は、ディスプレイ６２およびインターフェース６４を備えてもよい。インターフェース６４は、装置７０が試験モードを実行するよう要求されるという要求を示す信号６６を受信するように構成されてもよい。インターフェース６４は、例えば、アンテナまたはアンテナアレイを含むインターフェースなどの無線通信インターフェースであり得る。この場合、信号６６は無線信号であってもよい。装置７０は、信号６６に応答して試験モードに切り替え、所定の光学信号パターン６８をディスプレイに表示するように構成される。光信号パターンは、いくつかの１、２、３またはそれ以上の基準マーカー３２1および／または３２2および／または３２3として使用できる１つまたは複数の画像および／または点および／またはドットを含むことができる。すなわち、光信号パターン６８は、装置７０において基準マーカーのセットの少なくとも一部を提供する。再びＤＵＴ３０を参照するとき、基準マーカー３２1、３２2および／または３２3のうちの少なくとも１つは、光信号パターン６８のそれぞれの部分または部分によって実装され得ることが理解され得る。装置７０は、光信号パターンの表示の変更を示すユーザー入力とは独立して光信号パターンを表示するように構成されてもよい。そのようなユーザー入力は、例えば、パターンのサイズを変更する要求、ディスプレイ６２内のパターンの位置、および/または異なるパターンを表示する要求であり得る。したがって、光信号パターン６８は、装置７０のハウジングに対して動かなくてもよく、したがって、基準マーカーとして機能してもよい。例えば、光信号パターンは、例えばクイックレスポンス（ＱＲ）コードまたはマトリックスバーコードまたは異なる２次元コードなどのマトリックスバーコードを含む１つ以上の次元のバーコードであり得る。ＱＲコード（登録商標）は、表示される情報の高密度を提供する場合がある。これは、特に、テスト中に多数のビームが評価される場合に有利である。特定の光信号パターン６８は、それぞれのビームおよび／またはテストモードに関連付けられ得る。それにより、光信号パターンは、装置７０が装置で実際に形成されるビームを示すように、それぞれのビームおよび／またはテストモードを示してもよい。装置７０は、複数のテストモードおよび／またはビームまたはそれらの組み合わせのうちの１つを続いてスイッチオンし作動させ、その後、複数の光学信号パターンのうちの１つを表示するように構成され得る。表示された光信号パターンのそれぞれは、装置７０で実行されるそれぞれの現在のテストモードに関連付けられてもよい。
【００７８】
図８ａは、実施形態による測定システム８０の概略ブロック図である。測定システム８０は、本明細書で説明される方法の１つまたは複数を実行するように構成される。例えば、測定システム８０は、方法５００および／または６００を実行するように構成される。任意選択で、測定システム８０は、方法１００、２００、および／または４００のうちの少なくとも１つをさらに実行するように構成されてもよい。測定システム８０は、複数のプローブ７２1〜７２5を備えてもよい。１つ以上のプローブは、例えば、プローブ７２1など、近接場でビーム５６を評価するように構成されてもよい。１つ以上のプローブを構成して、プローブ７２2を例証するために、中間フィールドでビーム５６を評価することができる。１つ以上のプローブ、例えば、プローブ７２3、７２4および／または７２5などの、ビーム５６の遠距離場でビーム５６を評価するように構成されてもよい。
【００７９】
測定システム１８は、例えば装置３０および／または７０などのＤＵＴを評価するように構成されてもよい。測定１８で取得および使用される位置情報は、ビーム５６1の基準原点５４1を示す情報を含むことができる。位置情報は、それぞれのビーム５６1および５６2の基準原点５４1および５４2を示す情報を含んでもよい。位置情報は、それぞれのビームの方向５８1および５８2に関する情報をさらに含み得る。測定システムは、検出された無線周波数ビーム５６1および／または５６2を、ビーム５６1との重畳と５６2との一致に関して評価するように構成されてもよい。図３に関連して説明したように、単一ビーム５６1および５６2および／またはさらなるビームの重ね合わせにより、要約ビームを取得することができる。測定システム１８は、ＤＵＴ（受信ビームの評価）および／またはプローブ７２1〜７２5（送信ビーム）によって得られた結果を評価するように構成された制御ユニットおよび／または評価ユニットを備えてもよい。
【００８０】
ビーム５６1および／または５６2および／またはビームの近距離場におけるビームの重ね合わせを検出するとき、測定システム１８は、ビームの遠距離場におけるビームの特性を外挿することにより構成され得る。評価されるビーム、すなわち基準原点とＣＯＲＲＰに対する方向の正確な知識に基づいて、そのような外挿は高精度で実行される。
【００８１】
図８ｂは、近距離場（ＮＦ）、中距離場（ＭＦ）および／または遠距離（ＦＦ）の中に配置され得る複数のプローブ７２1から７２6を収容する測定チャンバーを備える測定システム８０´の概略ブロック図である。１つまたは複数のプローブ、たとえばプローブ７２1は、測定チャンバー７４内で移動可能であってもよい。代替的または追加的に、評価されるＤＵＴの１つ以上、例えば、ＤＵＴ７０は、サイドローブ７６1〜７６4および／またはメインローブ７８1〜７８3がプローブ７２1〜７２6に対する位置および／または向きに関して変化することを可能にするように、測定チャンバー７４内で移動可能であってもよい。
【００８２】
言い換えれば、例えばビームパターンの特性評価にＯＴＡ測定を使用する場合、ビームが発生する正確な参照ポイント（ソース、基準原点）を知ることは非常に重要である。ＯＴＡ測定が近距離で行われている場合や、ＤＵＴの寸法が大きい場合、たとえば自動車の場合、これはさらに重要になる可能性がある。さらに、次のような高い無線周波数を使用する場合、例えばミリ波２８ＧＨｚ、３９ＧＨｚ、６０ＧＨｚ、または波長が非常に短くなると、放射ビームの正確なＣＯＲＲＰが不明な場合、変換後の計算された遠方界パターンに近距離場測定の不正確さがかなり大きな誤差を引き起こす可能性がある。別のケースは、アンテナの正確な位置が外部から不明である、および／またはデバイスがデバイス全体に分散された複数のアンテナを使用しているスマートフォン、タブレット、ラップトップなどのコンパクトなフォームファクタデバイスから提供される。これらのすべての場合、測定されたビームパターンを正確に評価するために、基準点を知ることが重要になる場合がある。本明細書で説明する実施形態は、ＣＯＲＲＰを使用してＤＵＴによって作成されたすべてのビームの参照元を記述することを可能にする３Ｄ参照スキームを導入する。実施形態は、特にデバイスの外部から正しく放射されるすべてのビームの基準点を決定するための解決策を提供する。これは、たとえばＤＵＴの周りの３Ｄ放射ビームパターンを決定するための測定手順中に、測定セットアップ／システムに配置された車などの比較的大きな物体にアンテナおよび／またはアンテナアレイが分散されている場合に明らかになる。電力、位相、位相安定性などの特定のパラメータを測定するために、特定の距離（近距離、中距離、遠距離）で１つまたは複数のセンサーに囲まれたホルダー上の測定システムにＤＵＴを取り付けることが知られている。放射パターンを３Ｄでスキャンするには、センサーが別の観測角度でＤＵＴを観測するようにＤＵＴを回転、シフト、または移動するか、特定の距離でＤＵＴの周囲にセンサーを配置する。または、２つの動きを重ねて３Ｄフィールドスキャンを実行することもできる。図８ｂのＤＵＴ７０について示されているように、ＤＵＴを移動させるために回転子に取り付けられてもよい。エミッターのような点の理想的な場合、例えば、ワイヤー中心の周りのヘルツ双極子回転としてのワイヤーでは、測定された放射パターンは、変化する対称な円形形状になる可能性がある。回転中心に対するワイヤーがミスポジションの場合、歪んだ放射パターンが観察されるときがある。これは、ＣＯＲＲＰが既知であり、測定中に考慮される場合に簡単に補正できる。ＣＯＲＲＰは、回転中心に関する情報を含む場合がある。このような補正手順は、測定後に実行するか、可能であれば、有効な回転軸が既にアンテナの放射中心と一致するように動きを事前補正することができる。
【００８３】
図９ａは、例えば放射パターン測定のために、ＤＵＴがセンサー環境、すなわち測定システム内に取り付けられたときの放射中心基準点に関する知識不足の影響を示す概略図を示している。方向８２に沿ったＤＵＴのシフトは、メインローブ７８および／または放出される他のローブのシフトにつながる可能性がある。プローブ７２でビームおよび／またはローブを決定することにより、特にアンテナアレイの望ましい位置や実際の位置が不明な場合、これがＤＵＴの誤動作や位置ずれによる影響であるかどうかを判断するのは困難または不可能である。
【００８４】
ＤＵＴの例は、例えば、アクティブアンテナシステム（ＡＡＳ）、基地局アンテナ、ハンドセットなどのユーザー機器、ラップトップ、車両、無人機、漏洩フィーダーケーブルなどの拡張された大型オブジェクトであり得る。
【００８５】
図９ｂは、アンテナアレイ４４の構造を示す概略図を示している。アンテナアレイ４４は、複数のアンテナ素子８４1〜８４Nを備えてもよい。ＣＯＲＲＰは、スタンドアロンで使用することも、プローブ、ＤＵＴ、または別の要素などの特定のコンポーネントをデバイスのエッジに合わせる要求など、すべての情報／指示と組み合わせて使用することもできる、および／または画面またはテストパターンを表示するディスプレイ上の基準点を表示する表面に垂直にセンサーを位置合わせすることもできる。図示されるように、図９ａのシフト８２と逆であり得るシフト８２´´は、ＤＵＴ、例えばＤＵＴ７０を１つ以上のプローブ７２と位置合わせするように実装され得る。これにより、ビームのサイドローブ７６および／またはメインローブ７８を正確に決定することができる。たとえば、測定システムは、たとえばプローブに関連して検索アルゴリズムを使用する場合がある。それぞれのマーカーまたはパターンをプローブ７２で観察できる場合、位置合わせを仮定し、ＣＯＲＲＰを使用して、検出または決定されたビームが所望の条件に一致するかどうかを決定することができる。これは、ＤＵＴを調整するための検索アルゴリズムを使用して実行できる。
【００８６】
本明細書で説明される実施形態は、一緒に実行され得るが、分散実装も可能にし得る。例えば、デバイスまたはＤＵＴの製造業者は、方法１００、２００および／または４００のうちの１つまたは複数を実行してもよい。それにより、製造業者は、装置によってサポートされる各ビームおよび／またはビームセットに対して基準点および／または基準点／ベクトルを提供することができる。これには、１つ以上のメインローブおよび／または１つ以上のサイドローブに関連する情報が含まれる。製造業者はさらに、各ビームの送信／受信の周波数または周波数範囲に関する情報を提供する場合がある。各モードまたは送信モードのセットは、特定のビームを形成するために使用されるように示される場合がある。特定のモードでは、異なるアンテナ／アンテナ要素がビーム作成に関与する場合がある。それにより、使用されるアンテナまたはアンテナ要素の特定の詳細を示すことにより、テスト内でさらに詳細を評価することができる。
【００８７】
ＣＯＲＲＰおよび／または位置情報を使用する、および／または方法５００および６００の１つ以上を実装する測定システムは、ＤＵＴホルダー（キャリア）を含むことができ、ベクトルを使用して３Ｄ座標でマウントされたＤＵＴをオフセットするように構成できる。その結果、基準点は通常の測定手順の中心にあり（ステップ６１０）、および／または既知のずれはビームパターン評価のための関数／変換の補正に組み込まれる（ステップ６２０）。
【００８８】
それぞれの基準点は、デバイス上の物理的なマーカー、またはコーナーストーンおよび／またはエッジに対する物理的マーカーであってもよい。これには、プレーン、コーナー、エッジ、バーコード、例えばＱＲコード（登録商標）などのマトリックスバーコード（平面で定義され、事前に設定されたサイズなどがあり、座標系の参照として使用される場合がある。）などの参照方法に関するあらゆる種類のオプションが含まれる。ＣＯＲＲＰの定義またはマーキングは、妥当な物理的制約に縛られる／制限される可能性のある値に関連する情報などの追加情報を含むＱＲコード（登録商標）を使用して実行できる。ＱＲコード（登録商標）などの１次元または２次元のバーコードは、コードをケース、ボディ、ハウジング、カバーカウリング、筐体、および／またはＤＵＴのラドームに取り付けるため、たとえば印刷、エッチング、彫刻、接着ステップなどを使用して永続的に実装できる。あるいは、測定目的に便利な特定の動作モードにＵＥが設定されている場合、そのようなコードはＵＥの画面に表示される。すべてのインスタンスのＱＲコード（登録商標）の位置は固定されている場合がある。ＱＲコード（登録商標）自体は、スキャナーまたはリーダーなどの機械読み取り装置、例えば装置３３によって読み取られてもよい。そのようなデバイスは、ＱＲコード（登録商標）に含まれる情報を読み取ることができ、および／またはＤＵＴ上のＱＲコード（登録商標）の位置を決定するように構成することができる。この場合、ＱＲコード（登録商標）データに含まれる情報は、リーダーがＣＯＲＲＰを決定するために使用する情報である。換言すれば、ＱＲコード（登録商標）は、便利で、実用的で、容認可能および／または美的であり、ＣＯＲＲＰ自体のマーキングを形成しないような場所に配置することができる。さらに、ＱＲコード（登録商標）は、ＤＵＴの外側の物理的特徴と、事前に知られている、または時間とともに更新されるデータベースからこの情報を提供することによって、このマーカーに関連するＣＯＲＲＰの導出方法に関する説明などを定義できる。このような情報は、たとえば、Ｗｅｂサイトまたはその他の明示的に参照される情報ソースにアクセスすることで取得できる。このようなソースでは、コンテンツは、必要に応じて更新できるように、変更または変更可能な方法でダウンロード／アクセスできるように保持できる。さらに、このような情報セットには、「ＤＵＴでのこのような測定は、測定指示ＡＢＣバージョン１．２３に従って実行された」などの意味で測定を行うときに参照されるバージョン番号が含まれる場合がある。
【００８９】
代替的または追加的に、ＣＯＲＲＰは、ノッチ、エッチング、または穴などの機械的マーキングに基づいて定義することができる。代替的または追加的に、スイートスポットを取得するために、いわゆるバッジマーキングを実装することができる。代替的または追加的に、ＱＲコード（登録商標）などのマトリックスコードがテストモードで表示され、それにより、光学パターンを備えた専用ピクセル位置を使用するユーザー機器画面（ディスプレイ）を使用してもよい。あるいは、またはさらに、ユーザー機器のランプ／カメラレンズ／マイク、スピーカーなどをＣＯＲＲＰとして使用できる。
【００９０】
本明細書で説明される実施形態は、波／ビームが元々省略されている場所の正確な参照を可能にし得る。実施形態は、ＣＯＲＲＰおよび位置情報を定義するのに十分であり得るため、製造業者によるデバイス固有の技術的解決策の非開示を維持することを可能にする。実施形態は、デバイスで見える／アクセス可能な外側基準点に対するデバイスの適切な位置決めを可能にし得る。実施形態は、それらの挙動が高精度で正しく評価される可能性があるため、位置合わせされていないアンテナまたは分散アンテナであっても、近距離から遠距離への正しい変換を可能にし得る。ビームの対称性は、ビームの基準原点および／またはパターンの正しい決定に基づいて、より簡単に識別できる。測定サイトまたは家、例えば実験室では、ＣＯＲＲＰを使用してＤＵＴを開いたり破壊したりすることなく、製造元とまったく同じ基準点を使用できる。本明細書で説明される実施形態は、アンテナ／アレイなどの組み合わせに対して異なる基準点を定義／使用することを可能にする。通信システムにおいて、提案された実施形態は、ビームペアリングのような機能を容易にするために再利用され得る、すなわち、ＣＯＲＲＰは、スタンドアロンおよび／または検索アルゴリズムなどの他の方法と組み合わせて使用され得る。
【００９１】
代替的または追加的に、例えば、任意の方向に沿って指し示すいくつかのアンテナアレイを使用する場合、ビーム調整が実行されてもよい。実施形態は、他のピアデバイスまたは製品との標準化された公正な比較（ベンチマーク）を可能にする、ＤＵＴ放射パターンのＯＴＡ測定のための正確な方法を提供する。
【００９２】
いくつかの態様は装置の文脈で説明されてきたが、これらの態様は対応する方法の説明も表すことは明らかである。ここで、ブロックまたはデバイスはメソッドステップまたはメソッドステップの機能に対応する。同様に、方法ステップの文脈で説明される態様は、対応するブロックまたはアイテムまたは対応する装置の機能の説明も表す。
【００９３】
特定の実装要件に応じて、本発明の実施形態は、ハードウェアまたはソフトウェアで実装することができる。実装は、電子的に読み取り可能な制御信号が格納されたデジタル記憶媒体、たとえばフロッピーディスク、ＤＶＤ、ＣＤ、ＲＯＭ、ＰＲＯＭ、ＥＰＲＯＭ、ＥＥＰＲＯＭ、またはフラッシュメモリを使用して実行でき、これらは、それぞれの方法が実行されるように、プログラム可能なコンピュータシステムと連携（または協力）することができる。
【００９４】
本発明によるいくつかの実施形態は、本明細書に記載の方法の１つが実行されるように、プログラム可能なコンピュータシステムと協働することができる電子読み取り可能な制御信号を有するデータキャリアを含む。
【００９５】
一般に、本発明の実施形態は、プログラムコードを備えたコンピュータプログラム製品として実装することができ、プログラムコードは、コンピュータプログラム製品がコンピュータ上で実行されるときに方法の１つを実行するように動作する。プログラムコードは、例えば、機械読み取り可能なキャリアに保存されてもよい。
【００９６】
他の実施形態は、機械可読担体に保存された、本明細書に記載の方法の１つを実行するためのコンピュータプログラムを含む。
【００９７】
言い換えれば、したがって、本発明の方法の実施形態は、コンピュータプログラムがコンピュータ上で実行されるときに、本明細書に記載の方法の１つを実行するためのプログラムコードを有するコンピュータプログラムである。
【００９８】
したがって、本発明の方法のさらなる実施形態は、本明細書に記載の方法の１つを実行するためのコンピュータプログラムが記録されたデータキャリア（またはデジタル記憶媒体、またはコンピュータ可読媒体）である。
【００９９】
したがって、本発明の方法のさらなる実施形態は、本明細書で説明される方法の１つを実行するためのコンピュータプログラムを表すデータストリームまたは信号のシーケンスである。データストリームまたは信号のシーケンスは、たとえば、インターネットなどのデータ通信接続を介して転送されるように構成されてもよい。
【０１００】
さらなる実施形態は、本明細書に記載の方法の１つを実行するように構成または適合された処理手段、例えばコンピュータ、またはプログラム可能な論理デバイスを含む。
【０１０１】
さらなる実施形態は、本明細書に記載の方法の１つを実行するためのコンピュータプログラムをインストールしたコンピュータを含む。
【０１０２】
いくつかの実施形態では、プログラマブルロジックデバイス（例えば、フィールドプログラマブルゲートアレイ）を使用して、本明細書で説明する方法の機能の一部またはすべてを実行することができる。いくつかの実施形態では、フィールドプログラマブルゲートアレイは、本明細書に記載の方法の１つを実行するためにマイクロプロセッサと協働してもよい。一般に、これらの方法は、任意のハードウェア装置によって実行されることが好ましい。
【０１０３】
上述の実施形態は、本発明の原理の単なる例示である。本明細書に記載の構成および詳細の修正および変更は、他の当業者には明らかであることを理解されたい。したがって、本明細書の実施形態の説明および説明として提示される特定の詳細によってではなく、差し迫った特許請求の範囲によってのみ制限されることが意図である。
【０１０４】
参考文献
［１］  IEEE Standard for Definitions of Terms for Antennas, in IEEE Std 145-2013 (Revision of IEEE Std 145-1993), March 6 2014.
［２］  IEEE Standard Test Procedures for Antennas, in ANSI/IEEE Std 149-1979 , vol., no., pp.0＿1-, 1979, reaffirmed 1990, 2003, 2008.
［３］  Caner Ozdemir, Rajan Bhalla, and Hao Ling, "A Radiation Center Representation of Antenna Radiation Patterns on a Complex Platform", IEEE Transactions on Antennas and Propagation, Vol. 48, No. 6, June 2000.
［４］  Jonas Friden, Gerhard Kristensson, "Calculation of antenna radiation center using angular momentum," IEEE Transactions on Antennas and Propagation, Vol. 61, No.12, Dec. 2013.
［５］  S. Kurokawa and M. Hirose, "Antenna gain pattern estimation for log periodic dipole array broadband antenna using near field radiation pattern and amplitude center," 2016 IEEE International Conference on Computational Electromagnetics (ICCEM), Guangzhou, 2016, pp. 191-193.
［６］  3GPP TS 37.145-2; V14.0.0 (2017-03), "Active Antenna System (AAS) Base Station (BS) conformance testing; Part 2: radiated conformance testing"
［７］  3GPP TR 37.976; V14.0.0.0 (2017-03), "Measurement of radiated performance for Multiple Input Multiple Output (MIMO) and multi-antenna reception for High Speed Packet Access (HSPA) and LTE terminals"
［８］  3GPP TR 37.842; V13.2.0 (2017-03), "Evolved Universal Terrestrial Radio Access (E-UTRA) and Universal Terrestrial Radio Access (UTRA; Radio Frequency (RF) requirement background for Active Antenna System (AAS) Base Station (BS)"
【図１】
2020524784.tif 000003
【図２】
2020524784.tif 000004
【図３ａ】
2020524784.tif 000005
【図３ｂ】
2020524784.tif 000006
【図３ｃ】
2020524784.tif 000007
【図３ｄ】
2020524784.tif 000008
【図３ｅ】
2020524784.tif 000009
【図４ａ】
2020524784.tif 000010
【図４ｂ】
2020524784.tif 000011
【図５ａ】
2020524784.tif 000012
【図５ｂ】
2020524784.tif 000013
【図６】
2020524784.tif 000014
【図７】
2020524784.tif 000015
【図８ａ】
2020524784.tif 000016
【図８ｂ】
2020524784.tif 000017
【図９ａ】
2020524784.tif 000018
【図９ｂ】
2020524784.tif 000019
【国際調査報告】
2020524784.tif 000020
2020524784.tif 000021
2020524784.tif 000022
2020524784.tif 000023
2020524784.tif 000024